(57)【要約】【課題】冷房運転又は暖房運転の切り換えを一括して行うことのできるようにする。【解決手段】室外ユニット１５に複数台の室内ユニット２５をユニット間配管で接続し、複数台の前記室内ユニット２５を同時に冷房運転又は暖房運転可能とした２ＷＡＹ空気調和システム７と、室外ユニット１６に複数台の室内ユニット２６をユニット間配管で接続し、複数台の前記室内ユニット２６の間で冷房運転及び暖房運転が混在可能とした３ＷＡＹ空気調和システム８とを有したビル用マルチ空気調和システム１において、前記２ＷＡＹ及び３ＷＡＹ空気調和システム７、８とメイン通信線３を介して通信可能に制御コンピュータ２を接続し、前記制御コンピュータ２が、冷房運転又は暖房運転への空調運転の切り換えを指示する切換指示信号を前記メイン通信線３を介して前記２ＷＡＹ及び３ＷＡＹ空気調和システム７、８に対して一斉に送信する構成とした。【選択図】図１
2008057893.tif 000002
【特許請求の範囲】
【請求項１】
室外ユニットに複数台の室内ユニットをユニット間配管で接続し、複数台の前記室内ユニットを同時に冷房運転又は暖房運転可能とした第１空気調和システムと、
室外ユニットに複数台の室内ユニットをユニット間配管で接続し、複数台の前記室内ユニットの間で冷房運転及び暖房運転が混在可能とした第２空気調和システムとを有した空気調和システムにおいて、
前記第１及び第２空気調和システムと通信線を介して通信可能に制御装置を接続し、前記制御装置が、冷房運転又は暖房運転への空調運転の切り換えを指示する切換指示信号を前記通信線を介して前記第１及び第２空気調和システムに対して一斉に送信することを特徴とする空気調和システム。
【請求項２】
請求項１に記載の空気調和システムにおいて、
前記切換指示信号を送信して冷房運転又は暖房運転への空調運転の切り換えを行う日付を前記制御装置に登録可能にしたことを特徴とする空気調和システム。
【請求項３】
請求項１又は２に記載の空気調和システムにおいて、
前記第１及び第２空気調和システムの室内ユニットのうち、前記切換指示信号の送信による冷房運転又は暖房運転への空調運転の切り換えから除外する室内ユニットを前記制御装置に登録可能にしたことを特徴とする空気調和システム。
【請求項４】
請求項１乃至３のいずれかに記載の空気調和システムにおいて、
複数の前記第１空気調和システムを有し、
前記第１空気調和システムのうち、前記切換指示信号の送信による冷房運転又は暖房運転への空調運転の切り換えから除外する第１空気調和システムを、前記第１空気調和システムの室外ユニット単位で前記制御装置に登録可能にしたことを特徴とする空気調和システム。
【請求項５】
請求項１乃至４のいずれかに記載の空気調和システムにおいて、
前記制御装置が前記第２空気調和システムの室内ユニットを複数台ごとに分けてなる複数の室内機グループを記憶し、
前記室内機グループのうち、前記切換指示信号の送信による冷房運転又は暖房運転への空調運転の切り換えから除外する室内機グループを前記制御装置に登録可能にしたことを特徴とする空気調和システム。
【請求項６】
請求項１乃至５のいずれかに記載の空気調和システムにおいて、
前記制御装置は、前記第１及び第２空気調和システムの各室内ユニットの設置場所を予め記憶し、
前記切換指示信号の送信による冷房運転又は暖房運転への空調運転の切り換えから除外する室内ユニットを前記設置場所に基づいて前記制御装置に登録可能にしたことを特徴とする空気調和システム。
【請求項７】
請求項１乃至６のいずれかに記載の空気調和システムにおいて、
前記室内ユニットの設定温度及び風速、風向、集中制御の態様の少なくとも１以上の空調運転設定を前記制御装置に登録可能にし、
前記制御装置は、冷房運転又は暖房運転への空調運転の切り換え時に、前記空調運転設定を各室内ユニットに反映させることを特徴とする空気調和システム。
【請求項８】
室外ユニットに複数台の室内ユニットをユニット間配管で接続し、複数台の前記室内ユニットを同時に冷房運転又は暖房運転可能とした第１空気調和システムと、
室外ユニットに複数台の室内ユニットをユニット間配管で接続し、複数台の前記室内ユニットの間で冷房運転及び暖房運転が混在可能とした第２空気調和システムとを有した空気調和システムの制御装置であって、
前記第１及び第２空気調和システムと通信線を介して通信可能に接続され、冷房運転又は暖房運転への空調運転の切り換えを指示する切換指示信号を前記通信線を介して前記第１及び第２空気調和システムに対して一斉に送信することを特徴とする制御装置。
【発明の詳細な説明】
【技術分野】
【０００１】
本発明は、大規模ビル等に設置される空気調和システム及び空気調和システムの制御装置に関する。
【背景技術】
【０００２】
一般に、室外ユニットと複数台の室内ユニットとを、高圧ガス管と低圧ガス管と液管からなるユニット間配管で接続し、複数台の室内ユニットを同時に冷房運転もしくは暖房運転可能とした空気調和システム（以下、「２ＷＡＹ空気調和システム」と言う）、及び、これらの暖房運転と冷房運転とを混在して実施可能とした空気調和システム（以下、「３ＷＡＹ空気調和システム」と言う）が知られている（特許文献１参照）。
また、商用ビルや病院といった比較的大規模の建物にあっては、室数が多くなることから上記の空気調和システムを多数併用して、数百〜千台以上の室内ユニットを備えた大規模な空気調和システム（以下、「ビル用マルチ空気調和システム」と言う）を構成し、建物内の各室の空気調和を行っている。
【特許文献１】特許２８０４５２７号公報
【発明の開示】
【発明が解決しようとする課題】
【０００３】
しかしながら、冷房運転又は暖房運転の切り換えを、上記２ＷＡＹ空調システムにおいては室外ユニットごとに、上記３ＷＡＹ空調システムにおいては室外ユニットごとに行っているため、例えば季節の変わり目時などに建物内の各室の空調運転を一括して切り換えられなかった。
本発明は、上述した事情に鑑みてなされたものであり、冷房運転又は暖房運転の切り換えを一括して行うことのできる空気調和システム及び当該空気調和システムの制御装置を提供することを目的とする。
【課題を解決するための手段】
【０００４】
上記目的を達成するために、本発明は、室外ユニットに複数台の室内ユニットをユニット間配管で接続し、複数台の前記室内ユニットを同時に冷房運転又は暖房運転可能とした第１空気調和システムと、室外ユニットに複数台の室内ユニットをユニット間配管で接続し、複数台の前記室内ユニットの間で冷房運転及び暖房運転が混在可能とした第２空気調和システムとを有した空気調和システムにおいて、前記第１及び第２空気調和システムと通信線を介して通信可能に制御装置を接続し、前記制御装置が、冷房運転又は暖房運転への空調運転の切り換えを指示する切換指示信号を前記通信線を介して前記第１及び第２空気調和システムに対して一斉に送信することを特徴とする。
【０００５】
また本発明は、上記空気調和システムにおいて、前記切換指示信号を送信して冷房運転又は暖房運転への空調運転の切り換えを行う日付を前記制御装置に登録可能にしたことを特徴とする。
【０００６】
また本発明は、上記空気調和システムにおいて、前記第１及び第２空気調和システムの室内ユニットのうち、前記切換指示信号の送信による冷房運転又は暖房運転への空調運転の切り換えから除外する室内ユニットを前記制御装置に登録可能にしたことを特徴とする。
【０００７】
また本発明は、上記空気調和システムにおいて、複数の前記第１空気調和システムを有し、前記第１空気調和システムのうち、前記切換指示信号の送信による冷房運転又は暖房運転への空調運転の切り換えから除外する第１空気調和システムを、前記第１空気調和システムの室外ユニット単位で前記制御装置に登録可能にしたことを特徴とする。
【０００８】
また本発明は、上記空気調和システムにおいて、前記制御装置が前記第２空気調和システムの室内ユニットを複数台ごとに分けてなる複数の室内機グループを記憶し、前記室内機グループのうち、前記切換指示信号の送信による冷房運転又は暖房運転への空調運転の切り換えから除外する室内機グループを前記制御装置に登録可能にしたことを特徴とする。
【０００９】
また本発明は、上記空気調和システムにおいて、前記制御装置は、前記第１及び第２空気調和システムの各室内ユニットの設置場所を予め記憶し、前記切換指示信号の送信による冷房運転又は暖房運転への空調運転の切り換えから除外する室内ユニットを前記設置場所に基づいて前記制御装置に登録可能にしたことを特徴とする。
【００１０】
また本発明は、上記空気調和システムにおいて、前記室内ユニットの設定温度及び風速、風向、集中制御の態様の少なくとも１以上の空調運転設定を前記制御装置に登録可能にし、前記制御装置は、冷房運転又は暖房運転への空調運転の切り換え時に、前記空調運転設定を各室内ユニットに反映させることを特徴とする。
【００１１】
また本発明は、上記空気調和システムにおいて、室外ユニットに複数台の室内ユニットをユニット間配管で接続し、複数台の前記室内ユニットを同時に冷房運転又は暖房運転可能とした第１空気調和システムと、室外ユニットに複数台の室内ユニットをユニット間配管で接続し、複数台の前記室内ユニットの間で冷房運転及び暖房運転が混在可能とした第２空気調和システムとを有した空気調和システムの制御装置であって、前記第１及び第２空気調和システムと通信線を介して通信可能に接続され、冷房運転又は暖房運転への空調運転の切り換えを指示する切換指示信号を前記通信線を介して前記第１及び第２空気調和システムに対して一斉に送信することを特徴とする。
【発明の効果】
【００１２】
本発明によれば、複数台の前記室内ユニットを同時に冷房運転又は暖房運転可能とした第１空気調和システムと、複数台の前記室内ユニットの間で冷房運転及び暖房運転が混在可能とした第２空気調和システムとに対して、冷房運転又は暖房運転への空調運転の切り換えを指示する切換指示信号を一斉に送信する制御装置を設けた構成としたため、冷房運転又は暖房運転の切り換えを一括して行うことが可能となり、季節の変わり目等における運転切り換え作業の容易化が図られる。
【発明を実施するための最良の形態】
【００１３】
以下、図面を参照して本発明の実施の形態について説明する。
図１は本実施形態に係る空気調和システムの一態様たるビル用マルチ空気調和システム１の構成を模式的に示す図である。このビル用マルチ空気調和システム１は、商用ビルや病院といった比較的大規模な建物の各室を空気調和するものであり、図１に示すように、集中制御装置としての制御コンピュータ２と、この制御コンピュータ２にメイン通信線３を介して通信可能に接続された複数のサブ空気調和システム４とを有している。
【００１４】
上記メイン通信線３は、複数（図示例では４つ）の通信アダプタ操作線３Ａ〜３Ｄを有し、各通信アダプタ操作線３Ａ〜３Ｄには所定台数（例えば３１台）を上限として通信アダプタ５が接続され、各通信アダプタ５には上記サブ空気調和システム４が接続されている。各サブ空気調和システム４は、２ＷＡＹ空気調和システム７（第１空気調和システム）と、３ＷＡＹ空気調和システム８（第２空気調和システム）とを有し、２ＷＡＹ空気調和システム７がサブ通信線６Ａを介して、３ＷＡＹ空気調和システム８がサブ通信線６Ｂを介して各々通信アダプタ５にそれぞれ接続され、上記制御コンピュータ２と通信可能になされている。なお、サブ空気調和システム４が複数の２ＷＡＹ空気調和システム７のみ、或いは、複数の３ＷＡＹ空気調和システム８のみを備えて構成されても良いことは勿論である。
【００１５】
ここで、２ＷＡＹ空気調和システム７は、圧縮機及び室外熱交換機を有する複数台（１台でも良い）の室外ユニット１５と、室内熱交換機を有する複数台の室内ユニット２５とを、高圧ガス管と低圧ガス管と液管からなるユニット間配管（図示せず）で接続し、冷房運転時には各室外ユニット１５を凝縮器、各室内ユニット２５を蒸発器として機能させ、これとは逆に、暖房運転時には各室外ユニット１５を蒸発器、各室内ユニット２５を凝縮器として機能させて各室内ユニット２５を同時に冷房運転又は暖房運転可能とした空気調和システムである。
【００１６】
各室外ユニット１５には室外制御装置１０が設けられており、そのうちの１台の室外制御装置１０がマスタとなって他のスレーブの室外制御装置１０を制御する。そして、２ＷＡＹ空気調和システム７の各室内ユニット２５の冷房運転又は暖房運転を切り換える際には、マスタの室外制御装置１０が他のスレーブの室外制御装置１０に運転切換指示を与え、これにより、各室外ユニット１５の図示せぬ四方弁が切り換えられて各室内ユニット２５の空調運転が一斉に切り換えられる。
また、各室内ユニット２５には室内制御装置２０が設けられており、各室内制御装置２０は室内に設置された図示せぬリモートコントロール装置からの空調要求を受け、サブ通信線６Ａを介して室外制御装置１０に送信する等の機能を有している。
【００１７】
３ＷＡＹ空気調和システム８は、圧縮機及び室外熱交換機を有する複数台（１台でも良い）の室外ユニット１６と、室内熱交換機を有する複数台の室内ユニット２６とを、高温高圧のガス冷媒配管（吐出管）、中温中圧の液冷媒配管（液管）、及び、低温低圧のガス冷媒配管（吸込管）からなるユニット間配管（図示せず）で接続し、各室内ユニット２６を個別に冷房運転又は暖房運転可能とし、冷暖混在運転を可能にした空気調和システムであり、各室外ユニット１６及び各室内ユニット２６が上記サブ通信線６Ｂに接続されて互いに通信可能になされている。
【００１８】
より具体的には、各室内ユニット２６には、ガス冷媒配管（吐出管）及び液冷媒配管（液管）と室内熱交換機とを接続する第１開閉弁と、液冷媒配管（液管）及びガス冷媒配管（吸込管）と室内熱交換機とを接続する第２開閉弁とが設けられ、暖房運転時には第１開閉弁が開状態、第２開閉弁が閉状態となって室内熱交換と吐出管及び液管とを接続し、当該室内熱交換機を凝縮器として機能させ、冷房運転時には第１開閉弁が閉状態、第２開閉弁が開状態となって室内熱交換と液管及び吸込管とを接続し、当該室内熱交換機を蒸発器として機能させている。そして、３ＷＡＹ空気調和システム８にあっては、各室内ユニット２６が第１及び第２開閉弁の開閉状態を切り換えることで個別に冷房運転又は暖房運転が可能になされている。
【００１９】
このとき、各室外ユニット１６が蒸発器及び凝縮器のいずれとして機能するかは、運転効率に鑑みて、冷房運転する室内ユニット２６の数（冷房容量）と暖房運転する室内ユニット２６の数（暖房容量）との比率等に基づいて決定され、冷房運転する室内ユニット２６が暖房運転する室内ユニット２６よりも多い場合には各室外ユニット１６が凝縮器として機能し、これとは逆に、冷房運転する室内ユニット２６が暖房運転する室内ユニット２６よりも少ない場合には各室外ユニット１６が蒸発器として機能する。
【００２０】
各室外ユニット１６には、２ＷＡＹ空気調和システム７と同様に、室外制御装置１１が設けられており、そのうちの１台の室外制御装置１１がマスタとなって他のスレーブの室外制御装置１１を制御して、各室外ユニット１６を凝縮器又は蒸発器として機能させる。
また各室内ユニット２６には、室内制御装置２１が設けられており、各室内制御装置２１は室内に設置された図示せぬリモートコントロール装置からの空調要求を受け、上記第１及び第２開閉弁の開閉状態を切り換えて冷房運転又は暖房運転を行ったり、サブ通信線６Ｂを介して室外制御装置１１に能力要求を送信する等の機能を有している。
【００２１】
上記制御コンピュータ２は、各サブ空気調和システム４の２ＷＡＹ空気調和システム７及び３ＷＡＹ空気調和システム８の冷房運転又は暖房運転への空調運転の一括切り換え制御を実行するものであり、以下、かかる制御コンピュータ２の構成について詳述する。
【００２２】
図２は制御コンピュータ２の機能的構成を示すブロック図である。この図に示すように、制御コンピュータ２は、一般的なコンピュータシステムを用いて構成され、制御・演算手段としての制御部３０と、メイン通信線３の接続インタフェースであるインタフェース部３１と、各種プログラム及びデータを記憶する記憶部３２とを有している。
【００２３】
記憶部３２には、各サブ空気調和システム４の冷房運転又は暖房運転への空調運転の切り換え制御のための空調運転制御プログラム１００と、空調システム基本データ１０２とを有している。この空調システム基本データ１０２には、各サブ空気調和システム４の２ＷＡＹ空気調和システム７及び３ＷＡＹ空気調和システム８の各室内ユニット２５、２６の基本データである室内機データ１０４と、各室外ユニット１５、１６の基本データである室外機データ１０６とが含まれている。
【００２４】
室内機データ１０４には、室内ユニット２５、２６ごとに、その室内ユニット２５、２６が属する空気調和システムの種別（２ＷＡＹ又は３ＷＡＹ）や、設置場所（名称）、リモートコントロール装置（ＲＣ）の有無、室内機アドレス（固有の識別番号）等が対応付けられており、さらに、３ＷＡＹ空気調和システム８に属する室内ユニット２６においては室内機グループが規定されている。この室内機グループは、複数の室内ユニット２６をまとめてグループ制御するためのものであり、室内機グループごとに、そのグループに属する室内ユニット２５の室内アドレスが登録されている。
また、室内機データ１０４には、室内ユニット２５、２６に対する特定の設定（例えば、温度設定や風向設定、風量設定等）を制御コンピュータ２が制御しつつ、当該特定の設定に対するリモートコントロール装置からの操作を禁止する集中制御情報が含まれている。この集中制御情報は、リモートコントロール装置からの操作を禁止する特定の設定の種類に応じて複数の集中制御の態様に分類されており、集中制御対象の各室内ユニット２５、２６がどの集中制御態様に分類されているかが記録されている。
【００２５】
また、室外機データ１０６には、室外ユニット１５、１６ごとに、その室外ユニット１５、１６が属する空気調和システムの種別（２ＷＡＹ又は３ＷＡＹ）や、室外機アドレス（固有の識別番号）、また、２ＷＡＹ空気調和システム７においては、その室外ユニット１５に接続されている各室内ユニット２５の室内機アドレスが対応付けられている。
【００２６】
上記の構成の下、制御コンピュータ２は、ビル用マルチ空気調和システム１の全ての室内ユニット２５、２６の空調運転を一括して一斉に切り換える場合、全ての２ＷＡＹ空気調和システム７の各室外ユニット１５（又はマスタとなる室外制御装置１０を有する室外ユニット１５）、及び、全ての３ＷＡＹ空気調和システム８の各室内ユニット２６に対して、メイン通信線３を介して冷房運転又は暖房運転への切換指示信号を送信する。これにより、２ＷＡＹ空気調和システム７においては、各室外ユニット１５が図示せぬ四方弁を切り換える等して室内ユニット２５の空調運転を切り換え、また、３ＷＡＹ空気調和システム８においては、各室内ユニット２６が上記第１及び第２開閉弁の開閉状態を切り換えることで空調運転を切り換えることで、ビル用マルチ空気調和システム１の全ての室内ユニット２５、２６の空調運転が一括して一斉に切り換えられることとなる。
【００２７】
この空調運転の切り換え操作のためのユーザインターフェースとして運転切換設定画面１１０が用意されており、以下、この運転切換設定画面１１０について図３を参照して説明する。運転切換設定画面１１０は、制御コンピュータ２が備えるモニタ装置２Ａ等に表示されるものであり、図３に示すように、一斉切換指示欄１２０と、詳細設定欄１２１とが設けられている。
一斉切換指示欄１２０は、各室内ユニット２５、２６の空調運転を一斉に切り換える指示を入力するものであり、「一斉冷房切換」及び「一斉暖房切換」が選択可能になされている。
詳細設定欄１２１は、空調運転切換の切換月日及び切換時間を予め設定するものであり、この詳細設定欄１２１に空調運転の切換日時（例えば、季節の変わり目等）を予め登録しておくことで、その切換日時で各サブ空気調和システム４の室内ユニット２５、２５の空調運転が上記一斉切換指示欄１２０にて指示された冷房運転又は暖房運転に一斉に切り換えられることとなる。
【００２８】
また、上記詳細設定欄１２１には、設定温度や風速（冷暖運転の強弱）、風向（ルーバの角度）等を設定する空調設定項目欄が設けられており、この空調設定項目欄にて設定を行うことで、室内ユニット２５、２６に対して、その空調設定指示が上記切換日時に送信されて室内ユニット２５、２６に空調設定項目欄の設定が反映される。
【００２９】
ところで、上記の構成により、ビル用マルチ空気調和システム１の全ての室内ユニット２５、２６の空調運転が一斉に切り換えられるものの、例えばコンピュータルームといった常に一定の温度を維持したい部屋においては、季節にかかわらず冷房運転又は暖房運転を行う必要がある。そこで、上記運転切換設定画面１１０には、空調運転切り換え制御から除外する室内ユニット２５、２６を個別に設定登録するための除外機設定欄１２２が設けられている。
【００３０】
この除外機設定欄１２２には、室内ユニット２５、２６ごとに名称（設置場所）や、室内機アドレス、その室内ユニット２５、２６が２ＷＡＹ空気調和システム７に属するか３ＷＡＹ空気調和システム８に属するか否かを示す情報、設定温度、風速、風向、リモートコントロール装置（ＲＣ）の有無、除外チェック欄等が対応付けて表示されている。そして、除外すべき室内ユニット２５、２６の除外チェック欄にチェックすることで、そのチェックされた室内ユニット２５、２６に対しては、空調運転切り換えのための切換指示信号が送信されず、切り換え制御から除外されることとなる。
【００３１】
このとき、２ＷＡＹ空気調和システム７においては、一部の室内ユニット２５のみを除外対象とすることはできないため、除外対象の室内ユニット２５が属する２ＷＡＹ空気調和システム７の全ての室内ユニット２５が上記室外機データ１０６に基づいて特定され、それらの室内ユニット２５の除外チェック欄に自動的にチェックが付されて除外対象として設定される。これにより、同一の２ＷＡＹ空気調和システム７に属する室内ユニット２５間で設定の不整合が生じないようになされている。
【００３２】
また、３ＷＡＹ空気調和システム８においては、制御グループである室内機グループの一部の室内ユニット２６が除外対象とされた場合には、その除外対象の室内ユニット２６が属する室内機グループの他の全ての室内ユニット２６が上記室内機データ１０４に基づいて特定され、それらの室内ユニット２６の除外チェック欄に自動的にチェックが付されて除外対象として設定される。これにより、制御グループである室内機グループ内での室内ユニット２６の設定の整合性を維持しつつ、各室内ユニット２６の一斉切り換えを行うことが可能となる。
【００３３】
さらに、空調運転切り換え制御から除外するための設定においては、除外する室内ユニット２５、２６の空調運転を上記詳細設定欄１２１にて設定可能になされている。すなわち、空調運転切り換え制御からの除外を有効にする日付（除外日付）の他、その除外する室内ユニット２５、２６の設定温度、風速、風向、集中制御態様等が設定可能となっている。
これにより、除外指定した室内ユニット２５、２６を上記除外日付の日だけ、予め詳細設定欄１２１にて設定した空調運転で運転させることが可能となる。
【００３４】
また、運転切換設定画面１１０には、除外機設定欄１２２に表示する室内ユニット２５、２６を室外ユニット１５、１６順に表示するための室外機順ボタン１２３と、室内グループごとに表示するための制御グループボタン１２４とが設けられている。
したがって、例えば、一部の２ＷＡＹ空気調和システム７全体を一斉切り換えの制御から除外する場合には、室外機順ボタン１２３を選択することで、室内ユニット２５の設置場所を確認しながら所望の設置場所に室内ユニット２５が設置されている２ＷＡＹ空気調和システム７全体を効率良く空調運転切り換え制御から除外することができる。
これと同様に、一部の室内機グループ全体を一斉切り換えの制御から除外する場合には、制御グループボタン１２４を選択することで、その室外機グループの各室内ユニット２６の設置場所を確認しながら所望の設置場所に室内ユニット２６が設置されている室内機グループ全体を効率良く空調運転切り換え制御から除外することができる。
【００３５】
ここで、上記詳細設定欄１２１には、詳細設定のプリセットとしてのモードを指定するためのモード指定欄が設けられている。このモードは、図４に示すように、モード設定画面１３０を操作して設定される。このモード設定画面１３０には、切換日付設定のためのカレンダー１３１と、複数のモードごとに空調運転切り換えを指定するための運転切換設定欄１３２が設けられており、このモード設定画面１３０にて所定のモードをプリセットしておくことで、当該所定のモードを上記詳細設定欄１２１にて選択するだけでプリセットが反映され設定の容易化が図られることとなる。
【００３６】
また、上記運転切換設定画面１１０及びモード設定画面１３０のそれぞれには、ビル用マルチ空気調和システム１にて現在発生している異常を報知するための表示欄が設けられている。この表示欄には、制御コンピュータ２がメイン通信線３を介して各室外ユニット１５、１６及び各室内ユニット２５、２６から受信した各種異常情報が表示され、制御コンピュータ２は、この表示欄に異常を表示する場合には、図示せぬ音源装置から警報ブザーを鳴らし、作業者に速やかに通知する。
【００３７】
以上説明したように、本実施形態によれば、制御コンピュータ２が、冷房運転又は暖房運転への空調運転の切り換えを指示する切換指示信号を２ＷＡＹ空気調和システム７及び３ＷＡＹ空気調和システム８を備えた各サブ空気調和システム４に対してメイン通信線３を介して一斉に送信するため、ビル用マルチ空気調和システム１全体の室内ユニット２５、２６の空調運転を一括して一斉に切り換えることができる。
また、本実施形態によれば、冷房運転又は暖房運転への空調運転の切り換えを行う日付を登録可能にしたため、季節の変わり目等を予め登録しておくことで、その日に一斉に切り換えることができる。
【００３８】
また本実施形態によれば、空調運転の切り換えから除外する室内ユニット２５、２６を登録可能にしたため、特定の部屋の空調運転を切り換える事無く、所望の運転を継続させることができる。
特に、室内ユニット２５、２６の除外設定を、２ＷＡＹ空気調和システム７の室外ユニット１５単位や、３ＷＡＹ空気調和システム８の室内機グループ単位などで行うことを可能にし、また、各室内ユニット２５、２６の設置場所を確認できるようにしているため、所望の部屋の室内ユニット２５、２６のみを効率よく除外設定することができる。
【００３９】
また、室内ユニット２５、２６の設定温度や、風速、風向、集中制御の態様の少なくとも１以上の空調運転設定を登録可能にしたため、空調運転の切り換え時に、これらの空調運転設定を各室内ユニット２５、２６に一括して反映させることができる。
【００４０】
なお、上述した実施の形態は、あくまでも本発明の一態様を示すものであり、本発明の範囲内で任意に変形および応用が可能であることは勿論である。
【図面の簡単な説明】
【００４１】
【図１】本発明の実施形態に係るビル用マルチ空気調和システムの構成を模式的に示す図。
【図２】制御コンピュータの機能的構成を示す図。
【図３】運転切換設定画面の模式図。
【図４】モード設定画面の模式図。
【符号の説明】
【００４２】
１  ビル用マルチ空気調和システム
２  制御コンピュータ
３  メイン通信線
４  サブ空気調和システム
７  ２ＷＡＹ空気調和システム
８  ３ＷＡＹ空気調和システム
１５、１６  室外ユニット
２５、２６  室内ユニット
１００  空調運転制御プログラム
【図１】
2008057893.tif 000003
【図２】
2008057893.tif 000004
【図３】
2008057893.tif 000005
【図４】
2008057893.tif 000006